(57)【要約】      （修正有）【課題】蓋体の開放をより容易に行うことができるとともに、蓋体を開放位置でよりガタつきなく保持することができる蓋開閉機構を提供する。【解決手段】本開示に係る蓋開閉機構は、支持基体に沿って第１位置と第２位置とにスライド移動可能に構成された第１ヒンジ軸と、第２ヒンジ軸７３とを有するリンク部材と、第２ヒンジ軸７３に回転自在に取り付けられ、閉塞位置と開放位置とに移動可能に構成された蓋体６と、第１ヒンジ軸を第１位置から第２位置へ付勢する第１付勢部材と、第２ヒンジ軸を中心として蓋体を開放位置へ移動させる回転方向に蓋体を付勢する第３付勢部材と、第１ヒンジ軸を中心として回転方向にリンク部材を付勢する第２付勢部材と、蓋体が開放位置に位置するとき、リンク部材に係合して第１ヒンジ軸の第２位置から第１位置へのスライド移動を規制する凹部５Ｂとを備える。【選択図】図１１
2019113724.tif 000002
【特許請求の範囲】
【請求項１】
支持基体と、
前記支持基体に沿って第１位置と第２位置とにスライド移動可能に構成された第１ヒンジ軸と、前記第１ヒンジ軸に対して平行に配置された第２ヒンジ軸とを有するリンク部材と、
前記第２ヒンジ軸に回転自在に取り付けられ、前記支持基体の一部の領域を覆う閉塞位置と前記支持基体の一部の領域を露出させる開放位置とに移動可能に構成された蓋体と、
前記第１ヒンジ軸を前記第１位置から前記第２位置に向かう第１方向に付勢する第１付勢部材と、
前記第２ヒンジ軸を中心として前記蓋体が前記支持基体の一部の領域から離れる回転方向に前記蓋体を付勢する第２付勢部材と、
前記第１ヒンジ軸を中心として前記回転方向に前記リンク部材を付勢する第３付勢部材と、
前記蓋体が前記開放位置に位置するとき、前記リンク部材に係合して前記第１ヒンジ軸の前記第２位置から前記第１位置に向かう第２方向のスライド移動を規制する規制部と、
を備え、
前記蓋体と前記支持基体とが係合することにより、前記蓋体が前記閉塞位置に位置する状態で保持され、
前記蓋体と前記支持基体との係合が解除されることにより、前記第１付勢部材の付勢力によって前記第１ヒンジ軸が前記第１位置から前記第２位置にスライド移動し、前記第３付勢部材の付勢力によって前記リンク部材が前記第１ヒンジ軸を中心として前記回転方向に回転し、且つ、前記第２付勢部材の付勢力によって前記蓋体が前記第２ヒンジ軸を中心として前記回転方向に回転して、前記蓋体が前記開放位置に移動するように構成されている、蓋開閉機構。
【請求項２】
前記蓋体が前記開放位置に位置する状態から前記閉塞位置に向けて前記第２ヒンジ軸を中心として前記第２付勢部材の付勢力に抗して前記回転方向とは逆方向に回転されるとき、前記リンク部材が前記第１ヒンジ軸を中心として前記第３付勢部材の付勢力に抗して前記回転方向とは逆方向に回転して前記規制部と前記リンク部材との係合が解除され、前記第１ヒンジ軸が前記第１付勢部材の付勢力に抗して前記第２位置から前記第１位置にスライド移動するように構成されている、請求項１に記載の蓋開閉機構。
【請求項３】
前記蓋体が前記開放位置に位置するとき、前記蓋体と前記支持基体との間に隙間が空くように、前記蓋体が前記第２ヒンジ軸に取り付けられている、請求項１又は２に記載の蓋開閉機構。
【請求項４】
前記リンク部材は、係合ピンを備え、
前記規制部は、前記蓋体が前記開放位置に位置するときに前記係合ピンと係合するように設けられた凹部で構成されている、
請求項１〜３のいずれか１つに記載の蓋開閉機構。
【請求項５】
前記支持基体及び前記リンク部材のいずれか一方には、平面視において前記支持基体の一部の領域を挟んで互いに対向する位置にそれぞれ前記第１方向に延在する一対のガイドリブが設けられ、
前記支持基体及び前記リンク部材のいずれか他方には、平面視において前記支持基体の一部の領域を挟んで互いに対向する位置にそれぞれ前記第１方向に延在する一対のガイド溝が設けられ、
前記リンク部材は、前記一対のガイドリブが前記一対のガイド溝内を相対移動することで前記第１方向にスライド移動するように構成されている、請求項１〜４のいずれか１つに記載の蓋開閉機構。
【請求項６】
前記第１付勢部材は、前記一対のガイド溝のいずれか一方の近傍に設けられ、
前記第１付勢部材が近傍に設けられた前記一対のガイド溝のいずれか一方と前記ガイドリブとの隙間よりも、前記一対のガイド溝のいずれか他方と前記ガイドリブとの隙間が広い、請求項５に記載の蓋開閉機構。
【請求項７】
前記第１付勢部材と前記第３付勢部材とは、一体化されている、請求項１〜６のいずれか１つに記載の蓋開閉機構。
【請求項８】
請求項１〜７のいずれか１つに記載の蓋開閉機構を備える電子機器。
【発明の詳細な説明】
【技術分野】
【０００１】
本開示は、蓋開閉機構及び当該蓋開閉機構を備える電子機器に関する。
【背景技術】
【０００２】
従来、この種の蓋開閉機構を備える電子機器として、例えば、特許文献１（特開２０１０−８０１９８号公報）に開示されたものが知られている。
【０００３】
特許文献１には、ライトや外部マイクなどのアクセサリ装置を装着するためのアクセサリ用コネクタ（以下、シューアングルという）を開閉自在に覆う蓋体を備え、当該蓋体の開放時に、蓋体をアクセサリ装置と係合させて固定する構造が開示されている。
【先行技術文献】
【特許文献】
【０００４】
【特許文献１】特開２０１０−８０１９８号公報
【発明の概要】
【発明が解決しようとする課題】
【０００５】
ビデオカメラなどの電子機器においては、より小型化、薄型化が求められている。その一方で、アクセサリ装置のサイズは変わらないため、シューアングルを小型化することは困難である。また、アクセサリ装置をシューアングルに取り付ける際に蓋体のヒンジ軸が邪魔にならないように、蓋体の開放時において、蓋体のヒンジ軸をシューアングルから離すことが求められている。
【０００６】
そこで、蓋体の閉塞時においては、蓋体のヒンジ軸をよりシューアングルの近傍に配置するとともに、蓋体の開放時においては、蓋体のヒンジ軸をシューアングルから離れるようにスライド移動させる構成が検討されている。この構成によれば、蓋体のヒンジ軸をスライド移動させることにより、蓋体のヒンジ軸をシューアングルから離すことができ、シューアングルが設けられる電子機器本体の小型化、薄型化を図ることが可能になる。
【０００７】
しかしながら、前記構成においては、蓋体のヒンジ軸をスライド移動させるための機構が複雑になりやすく、蓋体の開放をより容易に行うことができるとともに、蓋体を開放位置でよりガタつきなく保持するという観点において改善の余地がある。
【０００８】
本開示の目的は、前記課題を解決することにあって、蓋体の開放をより容易に行うことができるとともに、蓋体を開放位置でよりガタつきなく保持することができる蓋開閉機構を提供することにある。
【課題を解決するための手段】
【０００９】
本開示に係る蓋開閉機構は、支持基体と、
前記支持基体に沿って第１位置と第２位置とにスライド移動可能に構成された第１ヒンジ軸と、前記第１ヒンジ軸に対して平行に配置された第２ヒンジ軸とを有するリンク部材と、
前記第２ヒンジ軸に回転自在に取り付けられ、前記支持基体の一部の領域を覆う閉塞位置と前記支持基体の一部の領域を露出させる開放位置とに移動可能に構成された蓋体と、
前記第１ヒンジ軸を前記第１位置から前記第２位置に向かう第１方向に付勢する第１付勢部材と、
前記第２ヒンジ軸を中心として前記蓋体が前記支持基体の一部の領域から離れる回転方向に前記蓋体を付勢する第２付勢部材と、
前記第１ヒンジ軸を中心として前記回転方向に前記リンク部材を付勢する第３付勢部材と、
前記蓋体が前記開放位置に位置するとき、前記リンク部材に係合して前記第１ヒンジ軸の前記第２位置から前記第１位置に向かう第２方向のスライド移動を規制する規制部と、
を備え、
前記蓋体と前記支持基体とが係合することにより、前記蓋体が前記閉塞位置に位置する状態で保持され、
前記蓋体と前記支持基体との係合が解除されることにより、前記第１付勢部材の付勢力によって前記第１ヒンジ軸が前記第１位置から前記第２位置にスライド移動し、前記第３付勢部材の付勢力によって前記リンク部材が前記第１ヒンジ軸を中心として前記回転方向に回転し、且つ、前記第２付勢部材の付勢力によって前記蓋体が前記第２ヒンジ軸を中心として前記回転方向に回転して、前記蓋体が前記開放位置に移動するように構成されている。
【発明の効果】
【００１０】
本開示の蓋開閉機構によれば、蓋体の開放をより容易に行うことができるとともに、蓋体を開放位置でよりガタつきなく保持することができる。
【図面の簡単な説明】
【００１１】
【図１】実施形態に係る蓋開閉機構を備える電子機器の斜視図である。
【図２】上部ケース及び蓋体に関連する部品を示す分解斜視図である。
【図３】蓋体が閉塞位置に位置する状態を示す斜視図である。
【図４】蓋体が開放位置に位置する状態を示す斜視図である。
【図５】図３に示す状態から蓋体を取り外した状態を示す斜視図である。
【図６】蓋体が閉塞位置に位置するときの一方の第１ヒンジ軸の近傍の構成を斜め上方から見た斜視図である。
【図７】蓋体が開放位置に位置するときの一方の第１ヒンジ軸の近傍の構成を斜め上方から見た斜視図である。
【図８】蓋体が閉塞位置に位置するときの一方の第１ヒンジ軸の近傍の構成を示す断面図である。
【図９】蓋体が開放位置に位置するときの一方の第１ヒンジ軸の近傍の構成を示す断面図である。
【図１０】蓋体が閉塞位置に位置するときの一方の係合ピンの近傍の構成を示す断面図である。
【図１１】蓋体が開放位置に位置するときの一方の係合ピンの近傍の構成を示す断面図である。
【図１２】蓋体が閉塞位置に位置するときの一方の第１ヒンジ軸の近傍の構成を斜め下方から見た斜視図である。
【図１３】蓋体が開放位置に位置するときの一方の第１ヒンジ軸の近傍の構成を斜め下方から見た斜視図である。
【図１４】蓋体が閉塞位置に位置するときのリンク部材の近傍の構成を斜め下方から見た斜視図である。
【図１５】蓋体が開放位置に位置するときのリンク部材の近傍の構成を斜め下方から見た斜視図である。
【図１６Ａ】蓋体の開閉動作を示す断面図である。
【図１６Ｂ】蓋体の開閉動作を示す断面図である。
【図１６Ｃ】蓋体の開閉動作を示す断面図である。
【図１６Ｄ】蓋体の開閉動作を示す断面図である。
【図１６Ｅ】蓋体の開閉動作を示す断面図である。
【図１６Ｆ】蓋体の開閉動作を示す断面図である。
【図１６Ｇ】蓋体の開閉動作を示す断面図である。
【図１６Ｈ】蓋体の開閉動作を示す断面図である。
【図１６Ｉ】蓋体の開閉動作を示す断面図である。
【発明を実施するための形態】
【００１２】
本開示の第１態様によれば、支持基体と、
前記支持基体に沿って第１位置と第２位置とにスライド移動可能に構成された第１ヒンジ軸と、前記第１ヒンジ軸に対して平行に配置された第２ヒンジ軸とを有するリンク部材と、
前記第２ヒンジ軸に回転自在に取り付けられ、前記支持基体の一部の領域を覆う閉塞位置と前記支持基体の一部の領域を露出させる開放位置とに移動可能に構成された蓋体と、
前記第１ヒンジ軸を前記第１位置から前記第２位置に向かう第１方向に付勢する第１付勢部材と、
前記第２ヒンジ軸を中心として前記蓋体が前記支持基体の一部の領域から離れる回転方向に前記蓋体を付勢する第２付勢部材と、
前記第１ヒンジ軸を中心として前記回転方向に前記リンク部材を付勢する第３付勢部材と、
前記蓋体が前記開放位置に位置するとき、前記リンク部材に係合して前記第１ヒンジ軸の前記第２位置から前記第１位置に向かう第２方向のスライド移動を規制する規制部と、
を備え、
前記蓋体と前記支持基体とが係合することにより、前記蓋体が前記閉塞位置に位置する状態で保持され、
前記蓋体と前記支持基体との係合が解除されることにより、前記第１付勢部材の付勢力によって前記第１ヒンジ軸が前記第１位置から前記第２位置にスライド移動し、前記第３付勢部材の付勢力によって前記リンク部材が前記第１ヒンジ軸を中心として前記回転方向に回転し、且つ、前記第２付勢部材の付勢力によって前記蓋体が前記第２ヒンジ軸を中心として前記回転方向に回転して、前記蓋体が前記開放位置に移動するように構成されている、蓋開閉機構を提供する。
【００１３】
本開示の第２態様によれば、前記蓋体が前記開放位置に位置する状態から前記閉塞位置に向けて前記第２ヒンジ軸を中心として前記第２付勢部材の付勢力に抗して前記回転方向とは逆方向に回転されるとき、前記リンク部材が前記第１ヒンジ軸を中心として前記第３付勢部材の付勢力に抗して前記回転方向とは逆方向に回転して前記規制部と前記リンク部材との係合が解除され、前記第１ヒンジ軸が前記第１付勢部材の付勢力に抗して前記第２位置から前記第１位置にスライド移動するように構成されている、第１態様に記載の蓋開閉機構を提供する。
【００１４】
本開示の第３態様によれば、前記蓋体が前記開放位置に位置するとき、前記蓋体と前記支持基体との間に隙間が空くように、前記蓋体が前記第２ヒンジ軸に取り付けられている、第１又は２態様に記載の蓋開閉機構を提供する。
【００１５】
本開示の第４態様によれば、前記リンク部材は、係合ピンを備え、
前記規制部は、前記蓋体が前記開放位置に位置するときに前記係合ピンと係合するように設けられた凹部で構成されている、第１〜３態様のいずれか１つに記載の蓋開閉機構を提供する。
【００１６】
本開示の第５態様によれば、前記支持基体及び前記リンク部材のいずれか一方には、平面視において前記支持基体の一部の領域を挟んで互いに対向する位置にそれぞれ前記第１方向に延在する一対のガイドリブが設けられ、
前記支持基体及び前記リンク部材のいずれか他方には、平面視において前記支持基体の一部の領域を挟んで互いに対向する位置にそれぞれ前記第１方向に延在する一対のガイド溝が設けられ、
前記リンク部材は、前記一対のガイドリブが前記一対のガイド溝内を相対移動することで前記第１方向にスライド移動するように構成されている、第１〜４態様のいずれか１つに記載の蓋開閉機構を提供する。
【００１７】
本開示の第６態様によれば、前記第１付勢部材は、前記一対のガイド溝のいずれか一方の近傍に設けられ、
前記第１付勢部材が近傍に設けられた前記一対のガイド溝のいずれか一方と前記ガイドリブとの隙間よりも、前記一対のガイド溝のいずれか他方と前記ガイドリブとの隙間が広い、第５態様に記載の蓋開閉機構を提供する。
【００１８】
本開示の第７態様によれば、前記第１付勢部材と前記第３付勢部材とは、一体化されている、第１〜６態様のいずれか１つに記載の蓋開閉機構を提供する。
【００１９】
本開示の第８態様によれば、第１〜７態様のいずれか１つに記載の蓋開閉機構を備える電子機器を提供する。
【００２０】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２１】
なお、発明者らは、当業者が本開示を十分に理解するために添付図面及び以下の説明を提供するものであって、これらによって特許請求の範囲に記載の主題を限定することを意図するものではない。
【００２２】
また、以下では、説明の便宜上、通常使用時の状態を想定して「上」、「下」等の方向を示す用語を用いるが、本発明の電子機器の使用状態等を限定することを意味するものではない。
【００２３】
《実施形態》
図１は、実施形態に係る蓋開閉機構を備える電子機器の斜視図である。実施形態において、電子機器は、撮像装置であり、より具体的にはビデオカメラである。
【００２４】
図１に示すように、電子機器１は、液晶モニタを備える開閉ユニット２と、ヒンジユニット３と、操作部４とを備えている。
【００２５】
開閉ユニット２は、電子機器１の筐体の一方の側面を覆うように配置されている。開閉ユニット２は、図１において、電子機器１の筐体と対向する主面に液晶モニタ（図示せず）を備えている。
【００２６】
ヒンジユニット３は、電子機器１の筐体の一方の側面の前方に配置されている。ヒンジユニット３は、電子機器１の筐体と開閉ユニット２とを連結する機構を有している。ヒンジユニット３は、開閉ユニット２を、電子機器１の筐体に対して開いた状態と閉じた状態とに移動可能に構成されている。
【００２７】
操作部４は、電子機器１の筐体の上部を構成する上部ケース５に設けられている。操作部４は、電子機器１の筐体の内部に配置された電子制御基盤上の端子に電気的に接続されている。ユーザにより操作部４が操作されると、操作部４から、電子制御基盤上のマイクロコンピュータに操作指示の信号が伝達される。これにより、ユーザは、操作部４を介して電子機器１を操作することができる。
【００２８】
上部ケース５には、蓋体（シューカバーともいう）６が開閉自在に取り付けられている。なお、上部ケース５及び蓋体６に関連する部品以外の構成については、特に限定されるものではなく、従来公知の電子機器が備える構成と同様であるので、ここでは詳細な説明を省略する。以下、上部ケース５及び蓋体６に関連する部品の構成についてより詳しく説明する。
【００２９】
図２は、上部ケース５及び蓋体６に関連する部品を示す分解斜視図である。図３は、蓋体６が閉塞位置６Ａに位置する状態を示す斜視図である。図４は、蓋体６が開放位置６Ｂに位置する状態を示す斜視図である。図５は、図３に示す状態から蓋体６を取り外した状態を示す斜視図である。
【００３０】
図２に示すように、上部ケース５には、貫通穴５Ａが設けられている。貫通穴５Ａの下方には、当該貫通穴５Ａを塞ぐように、上部フレーム５１及びシューベース５２が上部ケース５に取り付けられている。実施形態においては、上部ケース５と上部フレーム５１とシューベース５２とにより、支持基体が構成されている。上部フレーム５１には、貫通穴５Ａ内に位置する一部の領域にシューアングル５３が設けられる。シューアングル５３は、ライトや外部マイクなどのアクセサリ装置を装着するためのアクセサリ用コネクタである。実施形態において、シューアングル５３は、図４に示すように、ビスなどの締結部材５４により、上部ケース５に固定されている。
【００３１】
シューベース５２は、平面視において、略Ｃ字状の部材である。シューベース５２の両端部には、それぞれ上方に突出する係合部の一例である係合爪５２Ａが設けられている。シューベース５２に設けられた一対の係合爪５２Ａは、蓋体６に設けられた被係合部の一例である一対の係合爪６１に係合するように構成されている。一対の係合爪５２Ａと一対の係合爪６１とが係合することにより、図３に示すように、蓋体６がシューアングル５３を覆う閉塞位置６Ａで保持される。また、一対の係合爪５２Ａと一対の係合爪６１との係合が解除されることにより、図４に示すように、蓋体６がシューアングル５３を露出させる開放位置６Ｂに移動する。
【００３２】
蓋体６は、リンク部材７に回転自在に取り付けられている。実施形態において、蓋体６は、複数の円筒状の軸受部６２を有している。リンク部材７は、図２又は図５に示すように、本体部７１と、第１ヒンジ軸７２と、第２ヒンジ軸７３とを備えている。本体部７１は、第１ヒンジ軸７２及び第２ヒンジ軸７３と平行な方向に延在する略棒状の部分である。本体部７１は、複数の円筒状又はＵ字状の軸受部７１Ａを有している。第２ヒンジ軸７３が蓋体６の複数の軸受部６２及び本体部７１の複数の軸受部７１Ａ内に挿入されることにより、蓋体６がリンク部材７に回転自在に取り付けられる。なお、第２ヒンジ軸７３は、図２に示すように本体部７１とは別部品であってもよいし、本体部７１と一体に構成されてもよい。
【００３３】
また、第２ヒンジ軸７３は、蓋体６がリンク部材７に回転自在に取り付けられた状態において、図４又は図５に示すように、軸受部６２と軸受部７１Ａとの間に配置された第２付勢部材の一例であるねじりコイルバネ８１を貫通するように設けられている。ねじりコイルバネ８１は、第２ヒンジ軸７３を中心として蓋体６がシューアングル５３から離れる回転方向Ｒ１に蓋体６を付勢するように構成されている。
【００３４】
第１ヒンジ軸７２は、第２ヒンジ軸７３と平行に配置されている。実施形態において、第１ヒンジ軸７２は、２つに分割され、本体部７１の延在方向の一端部及び他端部から外方に突出するように設けられている。各第１ヒンジ軸７２の先端部には、第１ヒンジ軸７２に対して交差（例えば、直交）する方向に延在するリンクレバー７４が設けられている。リンクレバー７４の先端部には、第１ヒンジ軸７２と平行な方向に突出する係合ピン７５が設けられている。
【００３５】
図６は、蓋体６が閉塞位置６Ａ（図３参照）に位置するときの一方の第１ヒンジ軸７２の近傍の構成を斜め上方から見た斜視図である。図７は、蓋体６が開放位置６Ｂ（図４参照）に位置するときの一方の第１ヒンジ軸７２の近傍の構成を斜め上方から見た斜視図である。図８は、蓋体６が閉塞位置６Ａに位置するときの一方の第１ヒンジ軸７２の近傍の構成を示す断面図である。図９は、蓋体６が開放位置６Ｂに位置するときの一方の第１ヒンジ軸７２の近傍の構成を示す断面図である。
【００３６】
図６〜図９に示すように、一方の第１ヒンジ軸７２の周囲には、第３付勢部材の一例であるねじりコイルバネ８２と、スライドガイドブロック７６とが設けられている。ねじりコイルバネ８２の一端部８２Ａは、スライドガイドブロック７６に取り付けられている。ねじりコイルバネ８２は、第１ヒンジ軸７２を中心として回転方向Ｒ１にリンク部材７を付勢するように設けられている。スライドガイドブロック７６には、後述するガイドリブ５Ｃが挿入されるガイド溝７６Ａが設けられている。
【００３７】
ねじりコイルバネ８２の他端部は、第１付勢部材の一例であるねじりコイルバネ８３の一端部に接続されている。すなわち、実施形態において、ねじりコイルバネ８２とねじりコイルバネ８３とは、一体化されている。これにより、取扱い性及び空間効率が向上されている。ねじりコイルバネ８３の他端部８３Ａは、図８及び図９に示すように、上部ケース５に取り付けられている。
【００３８】
第１ヒンジ軸７２は、シューベース５２に沿って、図６及び図８に示す第１位置７２Ａと図７及び図９に示す第２位置７２Ｂとにスライド移動可能に構成されている。ねじりコイルバネ８３は、第１ヒンジ軸７２を第１位置７２Ａから第２位置７２Ｂに向かう第１方向Ｘ１に付勢するように設けられている。また、ねじりコイルバネ８３は、シューベース５２に下方へ凹むように設けられた凹部５２Ｂ内に収納されるように設けられている。
【００３９】
図１０は、蓋体６が閉塞位置６Ａに位置するときの一方の係合ピン７５の近傍の構成を示す断面図である。図１１は、蓋体６が開放位置６Ｂに位置するときの一方の係合ピン７５の近傍の構成を示す断面図である。
【００４０】
図１０及び図１１に示すように、上部ケース５の下面とシューベース５２の上面との間には、係合ピン７５の移動をガイドするカム溝Ｃ１が設けられている。蓋体６が閉塞位置６Ａと開放位置６Ｂとに移動するとき、係合ピン７５はカム溝Ｃ１に沿って移動する。
【００４１】
図１１に示すように、上部ケース５の下面には、蓋体６が開放位置６Ｂに位置するときに係合ピン７５と係合するように、規制部の一例である凹部５Ｂが設けられている。凹部５Ｂは、蓋体６が開放位置６Ｂに位置するとき、係合ピン７５に係合して第１ヒンジ軸７２の第２位置７２Ｂ（図９参照）から第１位置７２Ａ（図８参照）への第２方向Ｘ２への移動を規制する。これにより、蓋体６は、開放位置６Ｂでよりガタつきなく保持される。
【００４２】
なお、蓋体６が開放位置６Ｂに位置するとき、蓋体６と上部ケース５との間に隙間が空くように、蓋体６が第２ヒンジ軸７３に取り付けられている。これにより、蓋体６と上部ケース５とが接触することを抑え、上部ケース５に傷が付くなどして外観が損なわれることを抑えることができる。
【００４３】
図１２は、蓋体６が閉塞位置６Ａに位置するときの一方の第１ヒンジ軸７２の近傍の構成を斜め下方から見た斜視図である。図１３は、蓋体６が開放位置６Ｂに位置するときの一方の第１ヒンジ軸７２の近傍の構成を斜め下方から見た斜視図である。図１４は、蓋体６が閉塞位置６Ａに位置するときのリンク部材７の近傍の構成を斜め下方から見た斜視図である。図１５は、蓋体６が開放位置６Ｂに位置するときのリンク部材７の近傍の構成を斜め下方から見た斜視図である。
【００４４】
図１４及び図１５に示すように、上部ケース５の下面には、平面視において、貫通穴５Ａを挟んで互いに対向する位置にそれぞれ第１方向Ｘ１に延在する一対のガイドリブ５Ｃが設けられている。リンク部材７のスライドガイドブロック７６には、ガイドリブ５Ｃに対応する位置にガイド溝７６Ａが設けられている。すなわち、リンク部材７には、平面視において貫通穴５Ａを挟んで互いに対向する位置にそれぞれ第１方向Ｘ１に延在する一対のガイド溝７６Ａが設けられている。
【００４５】
各ガイドリブ５Ｃは、前述したスライドガイドブロック７６のガイド溝７６Ａにそれぞれ挿入される。リンク部材７は、一対のガイドリブ５Ｃが一対のガイド溝７６Ａ内を相対移動することで、第１方向Ｘ１及び第２方向Ｘ２に、より平行にスライド移動する。
【００４６】
また、実施形態において、ねじりコイルバネ８２，８３が近傍に設けられた一方のガイド溝７６Ａ（図１４では右側）とガイドリブ５Ｃとの隙間よりも、他方のガイド溝７６Ａ（図１４では左側）とガイドリブ５Ｃとの隙間が広くなっている。これにより、一方のガイドリブ５Ｃがガイド溝７６Ａ内を相対移動する動作に対して、他方のガイドリブ５Ｃがガイド溝７６Ａ内を相対移動する動作が追従し易くなる。その結果、リンク部材７が、より円滑に且つより平行にスライド移動することができる。
【００４７】
次に、蓋体６を閉塞位置６Ａから開放位置６Ｂに移動させる動作について、より具体的に説明する。図１６Ａ〜図１６Ｉは、蓋体６の開閉動作を示す断面図である。
【００４８】
図１６Ａに示すように蓋体６が閉塞位置６Ａに位置するとき、前述したねじりコイルバネ８１，８３はそれぞれ付勢力を有する状態にある。この状態で、蓋体６を上部ケース５から離れるように持ち上げて、蓋体６と上部ケース５との係合を解除すると、図１６Ｂに示すように、ねじりコイルバネ８１の付勢力によって、蓋体６が第２ヒンジ軸７３を中心として回転方向Ｒ１に回転し始める。また、このとき、ねじりコイルバネ８３の付勢力によって、第１ヒンジ軸７２が第１位置７２Ａから第１方向Ｘ１にスライド移動し始める。また、この第１ヒンジ軸７２のスライド移動に伴い、第１ヒンジ軸７２に対してリンクレバー７４を介して接続される係合ピン７５が、ねじりコイルバネ８２の付勢力に抗してカム溝Ｃ１に沿って移動し始める。
【００４９】
その後、図１６Ｃ〜図１６Ｈに示すように、ねじりコイルバネ８１の付勢力によって、蓋体６が第２ヒンジ軸７３を中心として回転方向Ｒ１に更に回転する。また、ねじりコイルバネ８３の付勢力によって、第１ヒンジ軸７２が第１方向Ｘ１に更に移動し、係合ピン７５がカム溝Ｃ１の第１方向Ｘ１の下流側の端部まで移動する。
【００５０】
その後、図１６Ｉに示すように、ねじりコイルバネ８１の付勢力によって、蓋体６が第２ヒンジ軸７３を中心として回転方向Ｒ１に更に回転し、蓋体６の一部がリンク部材７の本体部７１に係合することで、蓋体６の回転が停止する。また、このとき、ねじりコイルバネ８３の付勢力によって、第１ヒンジ軸７２が第２位置７２Ｂに到達する。また、ねじりコイルバネ８２の付勢力によって、リンク部材７が第１ヒンジ軸７２を中心として回転方向Ｒ１に回転し、係合ピン７５が凹部５Ｂ内に移動する。これにより、蓋体６が開放位置６Ｂで保持される。
【００５１】
次に、蓋体６を開放位置６Ｂから閉塞位置６Ａに移動させる動作について、より具体的に説明する。蓋体６を開放位置６Ｂから閉塞位置６Ａに移動させる動作は、蓋体６を閉塞位置６Ａから開放位置６Ｂに移動させる動作とは逆になる。
【００５２】
図１６Ｉに示すように蓋体６が開放位置６Ｂに位置する状態から、閉塞位置６Ａに向けて第２ヒンジ軸７３を中心としてねじりコイルバネ８１の付勢力に抗して回転方向Ｒ１とは逆方向に蓋体６を回転させる。このとき、蓋体６を回転させる力が、通常、第２ヒンジ軸７３を斜め下方に押すようにも作用する。
【００５３】
これにより、リンク部材７が第１ヒンジ軸７２を中心としてねじりコイルバネ８２の付勢力に抗して回転方向Ｒ１とは逆方向に回転して、図１６Ｈに示すように、係合ピン７５が凹部５Ｂから離れ、リンク部材７の係合状態が解除される。また、第１ヒンジ軸７２がねじりコイルバネ８３の付勢力に抗して第１方向Ｘ１とは逆方向である第２方向Ｘ２にスライド移動する。当該スライド移動に伴い、係合ピン７５が、図１６Ｈ、図１６Ｇ、図１６Ｆ、図１６Ｅ、図１６Ｄ、図１６Ｃ、図１６Ｂ、図１６Ａに示す順にカム溝Ｃ１内を移動し、蓋体６の係合爪６１がシューベース５２の係合爪５２Ａに係合する。これにより、蓋体６が閉塞位置６Ａで保持される。
【００５４】
実施形態によれば、蓋体６の係合爪６１とシューベース５２の係合爪５２Ａとの係合を解除するだけで、ねじりコイルバネ８１，８２，８３の付勢力により自動的に蓋体６を閉塞位置６Ａから開放位置６Ｂに移動させることができる。従って、蓋体６の開放をより容易に行うことができる。
【００５５】
また、実施形態によれば、蓋体６が開放位置６Ｂに位置するとき、係合ピン７５が凹部５Ｂに係合して第１ヒンジ軸７２の第２方向Ｘ２への移動を規制する。これにより、蓋体６を開放位置６Ｂでよりガタつきなく保持することができる。
【００５６】
また、実施形態によれば、蓋体６を開放位置６Ｂから閉塞位置６Ａに向けて移動させることで、当該移動の際に生じる力を利用してねじりコイルバネ８１，８２，８３の付勢力に抗してリンク部材７を移動させ、蓋体６を閉塞位置６Ａで保持することができる。すなわち、複雑な動作を行うことなく、蓋体６の閉塞をより容易に行うことができる。
【００５７】
なお、本開示は前記実施形態に限定されるものではなく、その他種々の態様で実施できる。また、例えば、前記では、蓋体６が開放位置６Ｂに位置するとき、リンク部材７の係合ピン７５と上部ケース５の凹部５Ｂとが係合することで、第１ヒンジ軸７２の第２方向Ｘ２への移動が規制されるものとしたが、本開示はこれに限定されない。蓋体６が開放位置６Ｂに位置するとき、第１ヒンジ軸７２の第２方向Ｘ２への移動を規制できるように構成されていればよい。例えば、リンク部材７が凹部を備え、上部ケース５が係合ピンを備え、当該凹部と係合ピンとが係合することで、第１ヒンジ軸７２の第２方向Ｘ２への移動を規制するように構成されてもよい。
【００５８】
また、前記では、上部ケース５に一対のガイドリブ５Ｃを設け、リンク部材７に一対のガイド溝７６Ａを設けたが、本開示はこれに限定されない。リンク部材７が第１方向Ｘ１にスライド移動するように構成されていればよい。例えば、上部ケース５に一対のガイド溝を設け、リンク部材７にガイドリブを設けてもよい。また、例えば、上部ケース５に代えて、シューベース５２にガイドリブ又はガイド溝を設けてもよい。
【００５９】
また、前記では、ねじりコイルバネ８２，８３をそれぞれ１つずつ設けられるものとしたが、本開示はこれに限定されない。例えば、平面視においてシューアングル５３を挟んで互いに対向する位置に、それぞれ一対のねじりコイルバネ８２，８３が設けられてもよい。
【００６０】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６１】
また、前述の実施形態は、本開示における技術を例示するためのものであるから、特許請求の範囲又はその均等の範囲において種々の変更、置き換え、付加、省略などを行うことができる。
【産業上の利用可能性】
【００６２】
本開示に係る蓋開閉機構によれば、蓋体の開放をより容易に行うことができるとともに、蓋体を開放位置でよりガタつきなく保持することができるので、電子機器のみならず、様々な装置の蓋開閉機構として有用である。
【符号の説明】
【００６３】
１      電子機器
２      開閉ユニット
３      ヒンジユニット
４      操作部
５      上部ケース
５Ａ    貫通穴
５Ｂ    凹部
５Ｃ    ガイドリブ
６      蓋体
６Ａ    閉塞位置
６Ｂ    開放位置
７      リンク部材
５１      上部フレーム
５２      シューベース
５２Ａ    係合部
５２Ｂ    凹部
５３      シューアングル
５４      締結部材
６１      係合爪
６２      軸受部
７１      本体部
７１Ａ    軸受部
７２      ヒンジ軸
７２Ａ    第１位置
７２Ｂ    第２位置
７３      ヒンジ軸
７４      リンクレバー
７５      係合ピン
７６      スライドガイドブロック
７６Ａ    ガイド溝
８１，８２，８３  ねじりコイルバネ
８２Ａ    一端部
８３Ａ    他端部
Ｃ１      カム溝
【図１】
2019113724.tif 000003
【図２】
2019113724.tif 000004
【図３】
2019113724.tif 000005
【図４】
2019113724.tif 000006
【図５】
2019113724.tif 000007
【図６】
2019113724.tif 000008
【図７】
2019113724.tif 000009
【図８】
2019113724.tif 000010
【図９】
2019113724.tif 000011
【図１０】
2019113724.tif 000012
【図１１】
2019113724.tif 000013
【図１２】
2019113724.tif 000014
【図１３】
2019113724.tif 000015
【図１４】
2019113724.tif 000016
【図１５】
2019113724.tif 000017
【図１６Ａ】
2019113724.tif 000018
【図１６Ｂ】
2019113724.tif 000019
【図１６Ｃ】
2019113724.tif 000020
【図１６Ｄ】
2019113724.tif 000021
【図１６Ｅ】
2019113724.tif 000022
【図１６Ｆ】
2019113724.tif 000023
【図１６Ｇ】
2019113724.tif 000024
【図１６Ｈ】
2019113724.tif 000025
【図１６Ｉ】
2019113724.tif 000026